(57)【要約】【課題】カメラ内、電源、電池温度のそれぞれの上限値を設定して、その上限値を管理することにより温度上昇によるカメラの破損を事前に防止することが可能なデジタルカメラを提供する。【解決手段】本発明は、リチウムイオン電池を主に想定した電池Ｂａｔｔ１１と、電池内温度を測定するサーミスタ１６と、カメラの電源となるＤＣ／ＤＣコンバータ１２と、サーミスタ１６に電圧を供給する電池電源制御部１７と、ＤＣ／ＤＣコンバータの一部の温度を測定し電源を制御する測温制御手段１３と、その他のカメラの温度を計測するカメラ測温手段１４と、電池の種類を判別する電池判別手段１５とを備えて構成されている。【選択図】      図２
2004266674.tif 000002
【特許請求の範囲】
【請求項１】
電池若しくはＡＣアダプタから供給された電力により複数の電源電圧を生成するＤＣ／ＤＣコンバータを備えたデジタルカメラであって、
前記電池内の温度を測定する電池内温度測定手段と、前記ＤＣ／ＤＣコンバータ内の温度を測定するコンバータ内温度測定手段と、該コンバータ内温度測定手段に基づいて前記ＤＣ／ＤＣコンバータの入力回路をスイッチング制御するスイッチング制御手段と、前記カメラ内の温度を測定するカメラ内温度測定手段と、を備え、
前記電池内温度測定手段、コンバータ内温度測定手段、及びカメラ内温度測定手段の何れか１つの測定手段が予め設定された上限温度を超過したことを検出した場合、前記スイッチング制御手段により前記電池の電力を前記ＤＣ／ＤＣコンバータに入力しないように前記入力回路を遮断することを特徴とするデジタルカメラ。
【請求項２】
セットされた電池の種類を判別する電池判別手段を更に備え、
前記電池内温度測定手段、コンバータ内温度測定手段、及びカメラ内温度測定手段の何れか１つの測定手段が予め設定された上限温度を超過したことを検出した場合、前記スイッチング制御手段により前記電池の電力を前記ＤＣ／ＤＣコンバータに入力しないように前記入力回路を遮断すると共に、前記電池判別手段により判別した電池の種類により電力消費の制御方法を変更することを特徴とする請求項１に記載のデジタルカメラ。
【請求項３】
前記各測定手段の測定結果の全てが予め設定された上限温度以下で、且つ前記各測定手段の測定結果が予め設定した規定温度以内の場合、電力消費が大きくなるように制御されることを特徴とする請求項１又は２に記載のデジタルカメラ。
【請求項４】
前記各測定手段の測定結果の全てが予め設定された上限温度以下で、且つ前記各測定手段の測定結果が予め設定した規定温度以上の場合、電力消費が小さくなるように制御されることを特徴とする請求項１又は２に記載のデジタルカメラ。
【請求項５】
前記各測定手段の測定結果の全てが予め設定された上限温度以下で、且つ前記電池判別手段により電池の放電特性が温度依存性の大きい電池であると判別された場合、前記各測定手段の測定結果の全てが予め設定した規定温度以内か否かを判断し、該規定温度以内になるように電力消費を制御することを特徴とする請求項２、３又は４に記載のデジタルカメラ。
【請求項６】
前記各測定手段の測定結果の全てが予め設定された上限温度以下で、且つ前記電池判別手段によりセットされた電池の放電特性が温度依存性の小さい電池であると判別された場合、通常の動作制御を行うことを特徴とする請求項２、３又は４に記載のデジタルカメラ。
【請求項７】
前記放電特性が温度依存性の大きい電池としてはアルカリ電池を用い、温度依存性の小さい電池としてはアルカリ電池以外の電池を用いることを特徴とする請求項２乃至５の何れか一項に記載のデジタルカメラ。
【発明の詳細な説明】
【０００１】
【発明の属する技術分野】
本発明は、デジタルカメラに関し、さらに詳しくは、カメラ内の各部品の温度上昇を検出して、カメラの部品破損を防止する方法に関するものである。
【０００２】
【従来の技術】
デジタルカメラの駆動源として様々な電池が用いられているが、例えばリチウムイオン２次電池では、放電時の電池内の温度がある温度以上に上昇すると、電池の性能が劣化したり、外形が膨らむ等の不具合が生じる。また、温度の影響の少ないニッケル水素電池等でも、さらに高温では電池の性能が劣化する虞がある。一方、デジタルカメラ自身も内部の回路部品等は温度により影響を受ける可能性がある。しかし、一般的にはかなり温度上昇しても問題ないが、たとえば直射日光等の過酷な環境に置かれると、その状況によっては一部に熱が集中して回路にダメージを受ける可能性が高い。また、その部分は熱のかかり方により一箇所に限定できない。
そこで従来技術として特開平７−３３３６７６号公報には、カメラ内のそれぞれの回路の各故障モードにも対応出来、かつ簡単な回路構成による安全回路について開示されている。
【０００３】
また特開２００１−１９７３５３公報においては、電源異常等による異常停止時のカメラの動作状況を使用者に知らせ、使用者に適切な処理を促すことができるようにする技術について開示されている。それによると、メモリカードへの画像記録中に電池の電圧低下等によりリセット回路からリセット信号がメインＣＰＵに加えられると、メインＣＰＵはカメラの動作状況（メモリカードへの記録中）をＳＲＡＭに記録保持したのちカメラ電源をＯＦＦにする。その後、新しい電池のセット等により電源異常が解消されると、メインＣＰＵは、カメラ電源をＯＮにするとともにＳＲＡＭから異常停止時のカメラの動作状況を読み出し、これを液晶モニタ又は液晶表示パネルに表示する。これにより、使用者は異常停止時のカメラの動作状況を正確に把握することができ、その後、適切な処理を行うことができるとしている。
また特開２０００−０６６２８２公報には、カメラ使用時の温度が所定温度以下の場合は、撮影者によりカメラの操作が行われていなければ、所定時間待つこと無く低電流消費状態へ移行し、電池の消耗を抑えるようにする技術について開示されている。それによると、撮影者によるカメラの操作が所定時間内に行われたか否かを判別し、所定時間内に撮影者により操作が行われていないと判別した場合、カメラの制御回路への電流消費状態を低電流消費状態へ移行させるカメラであって、温度を検出する温度検出手段と、該温度検出手段にて検出された温度が所定温度以下の時は、前記判別を行うことなく前記低電流消費状態に移行させる電流消費状態変更手段を有するとしている。
【特許文献１】特開平７−３３３６７６号公報
【特許文献２】特開２００１−１９７３５３公報
【特許文献３】特開２０００−０６６２８２公報
【０００４】
【発明が解決しようとする課題】
しかし、特許文献１は、カメラ内の温度を測定して温度上昇により電源を遮断するが電池自身の温度等は考慮されていない。
また特許文献２は、カメラ内温度異常時警告を表示後不揮発性メモリにデータ確認後に電源ＯＦＦするが、やはり電池自身の温度等は考慮されていない。
また特許文献３は、ある温度以下ではユーザーの使用が無い場合に低消費電流制御に移行するが同様にして電池自身の温度等は考慮されていない。
本発明は、かかる課題に鑑み、カメラ内、電源、電池温度のそれぞれの上限値を設定して、その上限値を管理することにより温度上昇によるカメラの破損を事前に防止することが可能なデジタルカメラを提供することを目的する。
【０００５】
【課題を解決するための手段】
本発明はかかる課題を解決するために、請求項１は、電池若しくはＡＣアダプタから供給された電力により複数の電源電圧を生成するＤＣ／ＤＣコンバータを備えたデジタルカメラであって、前記電池内の温度を測定する電池内温度測定手段と、前記ＤＣ／ＤＣコンバータ内の温度を測定するコンバータ内温度測定手段と、該コンバータ内温度測定手段に基づいて前記ＤＣ／ＤＣコンバータの入力回路をスイッチング制御するスイッチング制御手段と、前記カメラ内の温度を測定するカメラ内温度測定手段とを備え、前記電池内温度測定手段、コンバータ内温度測定手段、及びカメラ内温度測定手段の何れか１つの測定手段が予め設定された上限温度を超過したことを検出した場合、前記スイッチング制御手段により前記電池の電力を前記ＤＣ／ＤＣコンバータに入力しないように前記入力回路を遮断することを特徴とする。
アルカリ電池等の１次電池は、一般に温度上昇により放電容量が上昇する。つまり、温度が高いほど取り出せる電流値は大きくなる。しかし、その温度にも上限があり、上限値を超えると性能が劣化したり、外形が膨張すると言った不具合が発生する。また、カメラ内の電源としてＤＣ／ＤＣコンバータがよく使用されるが、このＤＣ／ＤＣコンバータも自己発熱と外部からの熱により、内部の電子部品の動作限界温度を超えると部品が破損する虞がある。また、カメラ内にはその他ＣＣＤ等の温度に対して特性が左右される電子部品が多数使用されており、カメラ内の温度も管理する必要がある。本発明はこれらの電池、ＤＣ／ＤＣコンバータ及びカメラ内部の温度を検出する手段を設け、その温度が予め設定した上限値を超えた場合、ＤＣ／ＤＣコンバータをＯＦＦするものである。
かかる発明によれば、電池、ＤＣ／ＤＣコンバータ及びカメラ内部の温度が予め設定した上限値を超えた場合、ＤＣ／ＤＣコンバータをＯＦＦするので、それ以上温度が上昇することを防ぎ、部品の破損を事前に防止することができる。
【０００６】
請求項２は、セットされた電池の種類を判別する電池判別手段を更に備え、前記電池内温度測定手段、コンバータ内温度測定手段、及びカメラ内温度測定手段の何れか１つの測定手段が予め設定された上限温度を超過したことを検出した場合、前記スイッチング制御手段により前記電池の電力を前記ＤＣ／ＤＣコンバータに入力しないように前記入力回路を遮断すると共に、前記電池判別手段により判別した電池の種類により電力消費の制御方法を変更することを特徴とする。
本発明は請求項１の発明に電池の種類を電気的に或いは機械的に判別する電池判別手段を更に備えたものである。電池の種類によっては温度によって放電特性が影響されるものと、比較的影響が少ないものがある。従って、カメラにセットされた電池がどちらの種類であるかを判別できることは、その電池の使用方法を最適な方法で使用することが可能となる。
かかる発明によれば、電池判別手段を更に備えたので、温度上昇による部品の破損を事前に防止すると共に、電池の種類により最適な使用方法を実行することができる。
請求項３は、前記各測定手段の測定結果の全てが予め設定された上限温度以下で、且つ前記各測定手段の測定結果が予め設定した規定温度以内の場合、電力消費が大きくなるように制御されることを特徴とする。
例えば、アルカリ電池の場合、温度が上昇するとそれに伴って放電容量が上昇する。しかし、これが可能な温度範囲は所定の温度範囲以内に限定される。そこで本発明では、各測定手段の温度が上限値以下で、しかも所定の温度範囲にある場合、クロックの周波数を高くして動作速度を上げたり、あるいはモータの駆動電流を多くしてモータの回転数を上げ、カメラ全体の動作速度を速くすることにより、消費電力を増加して電池の温度を故意に上昇させて放電容量を高めるものである。
かかる発明によれば、各測定手段の温度が上限値以下で、しかも所定の温度範囲にある場合、電力消費が大きくなるように制御されるので、より多くの放電電流を生成することができ、カメラの動作速度を速めることができる。
【０００７】
請求項４は、前記各測定手段の測定結果の全てが予め設定された上限温度以下で、且つ前記各測定手段の測定結果が予め設定した規定温度以上の場合、電力消費が小さくなるように制御されることを特徴とする。
本発明は請求項３とは逆に、各測定手段の温度が上限値以下で、しかも所定の温度範囲以上になった場合、クロックの周波数を低くして動作速度を下げたり、あるいはモータの駆動電流を少なくしてモータの回転数を下げ、カメラ全体の動作速度を遅くすることにより、消費電力を減少して電池の温度上昇を抑制するものである。
かかる発明によれば、各測定手段の温度が上限値以下で、しかも所定の温度範囲以上の場合、電力消費が小さくなるように制御されるので、自動的に温度上昇を抑圧することができる。
請求項５は、前記各測定手段の測定結果の全てが予め設定された上限温度以下で、且つ前記電池判別手段により電池の放電特性が温度依存性の大きい電池であると判別された場合、前記各測定手段の測定結果の全てが予め設定した規定温度以内か否かを判断し、該規定温度以内になるように電力消費を制御することを特徴とする。
本発明は温度依存性の大きい電池、つまり温度上昇に伴って放電容量が増加する電池を判別して請求項３と請求項４の制御を行うものである。従って、温度変化により放電容量が変化しない電池に対して無用な制御を行うことを防止できる。
かかる発明によれば、温度依存性が多きい電池を選別して電力消費の制御を行うので、温度依存性が小さい電池に対して無用な制御を行うことを防止できる。
請求項６は、前記各測定手段の測定結果の全てが予め設定された上限温度以下で、且つ前記電池判別手段によりセットされた電池の放電特性が温度依存性の小さい電池であると判別された場合、通常の動作制御を行うことを特徴とする。
本発明は温度変化により放電容量が変化しない電池に対する制御については、電力消費を変化させても放電電流が余り変化せず、むしろ電池の温度を不必要に上昇させ、電池特性の劣化を招く虞がある。
かかる発明によれば、温度依存性が小さい電池に対しては電力消費の制御を行わずに、通常の動作制御を行うので、温度依存性が小さい電池の特性劣化を抑制することができる。
請求項７は、前記放電特性が温度依存性の大きい電池としてはアルカリ電池を用い、温度依存性の小さい電池としてはアルカリ電池以外の電池を用いることを特徴とする。
アルカリ電池は他の電池に比べて放電特性の温度依存性が大きい。そこで本発明では、アルカリ電池がセットされたことを電気的に或いは機械的に検出して、電力消費の制御を行う。
かかる発明によれば、電池判別がアルカリ電池とそれ以外で判別するので、判別方法が簡略化され、カメラの構成を簡略化することができる。
【０００８】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る温度計測手段の構成図である。これは、リチウムイオン電池を主に想定した電池Ｂａｔｔ１１と、電池内温度を測定するサーミスタ１６と、カメラの電源となるＤＣ／ＤＣコンバータ１２と、サーミスタ１６に電圧を供給する電池電源制御部１７と、ＤＣ／ＤＣコンバータの一部の温度を測定し電源を制御する測温制御手段１３と、その他のカメラの温度を計測するカメラ測温手段１４と、電池の種類を判別する電池判別手段１５とを備えて構成されている。
Ｂａｔｔ１１は電池セル部と電池セルの温度を測定するサーミスタ１６より構成されている。またＱ１、Ｒ１、Ｑ２はＢａｔｔ１１の温度を測定する回路であり、システム図に後述するコントローラにより複合トランジスタＱ２をＯＮすると、ＰＮＰトランジスタＱ１がＯＮして温度係数が極端に小さい抵抗Ｒ１と電池内サーミスタ１６でＱ１のエミッタ側電圧は抵抗分割されて、コントローラのＡ／Ｄコンバータ入力される。この電圧は温度によりサーミスタ１６の抵抗値が変化するので、あらかじめコントローラのメモリにある電圧−温度テーブルあるいは電圧−温度の計算式と参照して温度を測定する。またＱ３は通常コントローラ出力で制御される。今ユーザが図示しない電源ＳＷをＯＮするとコントローラ出力がＨになり、Ｒ４を介してＱ４がＯＮしてＲ２、Ｒ３で抵抗分割されたゲート電圧がＱ３に印加されてＱ３がＯＮする。そしてＤＣ／ＤＣコンバータ１２の測温制御手段１３が設定した上限温度以上なると出力１８によりＱ５をＯＮして、複合トアンジスタＱ４のベース側入力をＬにすることによりＱ４ＯＦＦ、Ｑ３ＯＦＦとなり、ＤＣ／ＤＣコンバータ１２に電圧が供給されなくなり、電源ＯＦＦで全システムが停止する。また、その他のカメラの内部あるいは表面の温度を測定するカメラ測温手段１４からの温度データをコントローラのＡ／Ｄコンバータ入力して、あらかじめコントローラのメモリに記憶してある電圧−温度テーブル、あるいは電圧−温度の計算式と参照して温度を測定する。
図２は本発明の第２の実施形態に係る温度計測手段の構成図である。同じ構成要素には同じ参照番号が付されているので、重複する説明は省略する。図２が図１と異なる点は、アルカリ電池等測温手段を持たない電池によるもので電池近傍にサーミスタの代替となる電池測温手段１９を設置して、その出力をコントローラのＡ／Ｄコンバータに入力させて温度データをコントローラのＡ／Ｄコンバータ入力し、あらかじめコントローラのメモリにある電圧−温度テーブルあるいは電圧−温度の計算式と参照して温度を測定する。
【０００９】
図３は本発明のデジタルカメラのシステム図である。このデジタルカメラ１００は、レンズユニット２００は、レンズ系、絞り・フィルター部等を含むメカ機構２０３からなり、メカ機構２０３のメカニカルシャッタは２つのフィールドの露光を行う。（図では露光手段としてシャッタ機構も別に図示しているが、２０３はシャッタ機構も兼用する場合もある。）レンズ系２は例えばバリフォーカルレンズからなり、フォーカスレンズ系２０４とズームレンズ系２０５とで構成されている。
フォーカスモータドライバ２０７は、コントローラ４から供給される制御信号にしたがって、フォーカスモータドライバ２０７を駆動してフォーカスレンズ系２０１を光軸方向に移動させる。
ズームモータドライバ２０８はコントロ−ラ４から供給される制御信号にしたがってズームモータ２０５を駆動して、ズームレンズ系２０２を光軸方向に移動させる。
また、絞りモータドライバ２０９はコントローラ４から供給される制御信号にしたがってメカ機構２０３を駆動し、例えば絞りの絞り値を設定する。
ＣＣＤ（電荷結合素子）３０２はレンズユニットを介して入力した映像を電気信号（アナログ画像データ）に変換する。
ＣＤＳ（相関２重サンプリング）回路３０３はＣＣＤ型撮像素子にたいする低雑音化のための回路である。また、ＡＧＣアンプ３０４はＣＤＳ回路３０３で相関２重サンプリングされた信号のレベルを補正する。尚、ＡＧＣアンプ３０４が内蔵するＤ／Ａ変換器を介して設定データ（コントロール電圧）がＡＧＣアンプ３０４に設定されることにより設定される。
【００１０】
さらにＡ／Ｄ変換器３０５はＡＧＣアンプ３０４を介して入力したＣＣＤ３０２からのアナログ画像データをデジタル画像データに変換する。すなわち、ＣＣＤ３０２の出力信号は、ＣＤＳ回路３０３およびＡＧＣアンプ３０４を介し、また、Ａ／Ｄ変換器３０５により、最適なサンプリング周波数（例えばＮＴＳＣ信号のサブキャリア周波数の整数倍）にてデジタル信号に変換される。
また、デジタル信号処理部であるＩＰＰ（Ｉｍａｇｅ  Ｐｒｅ−Ｐｒｏｃｅｓｓｏｒ）３０６、ＤＣＴ（Ｄｉｓｃｒｅｔｅ  Ｃｏｓｉｎｅ  Ｔｒａｎｓｆｏｒｍ）３０８及びコーダー（Ｈｕｆｆｍａｎ  Ｅｎｃｏｄｅｒ／Ｄｅｃｏｄｅｒ）３０９は、Ａ／Ｄ変換器３０５から入力したデジタル画像データについて色差（Ｃｂ、Ｃｒ）と輝度（Ｙ）に分けて各種処理、補正及び画像圧縮／伸長のためのデータ処理を施す。
ＤＣＴ３０８およびコーダー３０９は、例えばＪＰＥＧ準拠の画像圧縮・伸長の一過程である直交変換・逆直交変換、ならびにＪＰＥＧ準拠の画像圧縮・伸長の一過程であるハフマン符号化・復号化等を行う。
また、ＩＰＰ３０６はＧ画像データの輝度データ（Ｙ）を検出し、検出した輝度データ（Ｙ）に応じたＡＥ評価値をコントローラ４に出力する。このＡＥ評価値は被写体の輝度（明るさ）を示すものである。
また、ＩＰＰ３０６は設定された色温度範囲内で、Ｒ、Ｇ、Ｂ画像データの各輝度データ（Ｙ）に応じたＡＷＢ（Ａｕｔｏ  Ｗｈｉｔｅ  Ｂａｌａｎｃｅ）評価値を各々コントローラ４に出力する。このＡＷＢ評価値は被写体の色成分を示すものである。
さらにＭＣＣ（Ｍｅｍｏｒｙ  Ｃａｒｄ  Ｃｏｎｔｒｏｌｌｅｒ）３１０は、圧縮処理された画像を一旦蓄えてＰＣカードインターフェース３１１を介してＰＣカード３１２への記録、或いはＰＣカード３１２からの読み出しを行う。
３１３は外部通信用ドライバであり、たとえばＵＳＢ、ＩＥＥＥ１３９４等の規格の通信プロトコルにて外部のユニットと通信を行うための物で、ＰＣ１（パーソナルコンピュータ）等と接続してデータのやり取りを行う。あるいは、カメラと接続可能な通信・電源アダプタを介してＰＣ１やＡＣアダプタ７０３を接続可能にして、電力や通信のやりとりを可能にする。
【００１１】
ＬＣＤ表示部６０２は透過型ＬＣＤからなり、画像データや操作メニュー等が表示される。
補助光ランプ６０３はＬＣＤ表示部６０２を照明するためのバックライトであり、例えば蛍光管、あるいは白色ＬＥＤからなる。
補助光ランプ駆動回路６０４は、コントローラ４の制御に基づき、補助光ランプ６０３に駆動電力を出力して補助光ランプ６０３を点灯させる。
ＬＣＤドライバ回路６０４は、ＩＰＰ３０６から入力される画像データをＬＣＤ表示部６０２に表示させるための回路である。
操作部９は、撮影の指示を行うための９０１レリーズスイッチ、９０２モード入力手段、電源スイッチ、ＬＣＤスイッチ、補助光ランプスイッチ、機能選択およびその他の各種設定を外部から行うためのボタン等を備えている。なお、図中９０２の９０２ａは音声記録モード、９０２ｂは静止画記録、９０２ｃは動画記録を示す。
ストロボ回路５００は、コントローラ４００の制御によりストロボ光を発する。
バッテリＡ７０１、バッテリＢ７０２は例えば、ニッケル水素電池、リチウムイオン電池、ニッカド（ＮｉＣｄ）電池、アルカリ電池等からなり、場合によりＡＣアダプタ７０３の電源電圧が供給されることもあり、ＤＣ／ＤＣコンバータ７００を介して電源電圧をデジタルカメラ１００の内部に供給される。
ＤＣ／ＤＣコンバータ７００はコントローラ４００の制御により、デジタルカメラ１００内部に出力する各種電源をＯＮ／ＯＦＦするスイッチ回路を内蔵する。
コントローラ４００は、ＣＰＵ、ＲＯＭ、ＲＡＭ、Ａ／Ｄ変換器、Ｄ／Ａ変換器等からなり、ＣＰＵは操作部９００からの指示または図示しないリモコン等の外部動作指示に従い、ＲＯＭに格納された制御プログラムに従ってＲＡＭをワークエリアとして使用して、デジタルカメラ１００の装置全体の制御を行う。
【００１２】
なお、Ａ／Ｄ変換器、Ｄ／Ａ変換器は外部に用意する場合はＡ／Ｄ４０２、Ｄ／Ａ４０３として用意される。具体的には、コントローラ４００は、撮影動作、自動露出（ＡＥ）動作、自動ホワイトバランス（ＡＷＢ）調整動作やＡＦ動作、表示等の制御を行う。また、各種制御のための情報入力手段の一つとして内蔵のＡ／Ｄ変換器を用いてアナログ情報の把握を行う。内蔵のＡ／Ｄ変換器は基準電圧との比較で行われる。一方、アナログ出力のためにＤ／Ａ変換器を用いる。例えばＩＰＰ３０６とコントローラ４００との制御、データのやりとりはシステムバス４０４と介して行われる。また、コントローラ４００は、被写体を撮像して得られる画像データをＰＣカード３１２に記録する記録モードと、ＰＣカード３１２に記録された画像データをＬＣＤ表示部６０２に再生して表示する再生モードと、撮像したモニタリング画像をＬＣＤ表示部６０２に直接表示するモニタリングモード等を備えている。また、再生モードやモニアリングモードでＬＣＤ表示部６０２に画像を表示する場合の表示モードとしては、固定モード、外光適応モードを備えており、これらのモードの選択は操作部９００で行われる。
フラッシュメモリ４０１には、デジタルカメラの各種パラメータやデータが記録されている。タイミングジェネレータ（ＴＧ）３０１は、ＩＰＰ３０６から入力される水平同期信号及び垂直同期信号に基づいて、各種タイミング信号を生成する。
音声アンプ部８００はコントローラ４のＡ／Ｄ４０２あるいはＤ／Ａ４０３を介してマイク８０１、スピーカ８０２、イヤホン８０３のアナログ信号の増幅を行う。なお、音声出力手段としてはスピーカ８０２のかわりにコントローラ４００の図示しない出力よりブザーを使用する方法も可能であることは言うまでもない。
振動モータ１００２は警告表示手段の一手段であり、コントローラ４００からの制御信号により振動モータドライバ１００１を動作させて、ドライバ１００１は振動モータ１００２を駆動することにより振動により警告表示を行う。
【００１３】
図４は本発明の第１の実施形態の動作を説明するフローチャートである。図１と図３を参照して説明する。まずコントローラ４００の指示により電源がＯＮされる（Ｓ１）。それによりＤＣ／ＤＣコンバータ１２が起動し（Ｓ２）、このＤＣ／ＤＣコンバータ１２内の測温制御手段１３で測定した温度が予め設定された上限温度を超過したか否かをチェックし（Ｓ３）、上限温度を超過した場合は（Ｓ３でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ３で上限温度以下の場合（Ｓ３でＮＯのルート）、次にコントローラ４００に指示によりサーミスタ１６の抵抗値を測定し、電池１１内の温度が予め設定された上限温度を超過したか否かをチェックし（Ｓ４）、上限温度を超過した場合は（Ｓ４でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ４で上限温度以下の場合（Ｓ４でＮＯのルート）、次にカメラ測温手段１４で測定した温度が予め設定された上限温度を超過したか否かをチェックし（Ｓ５）、上限温度を超過した場合は（Ｓ５でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ５で上限温度以下の場合（Ｓ５でＮＯのルート）、カメラの操作部９００により電源スイッチが押されているか否かをチェックし（Ｓ６）、押されていなければ（Ｓ６でＮＯのルート）、ステップＳ３に戻って繰り返し、押されていれば（Ｓ６でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。
【００１４】
図５は本発明の第２の実施形態の動作を説明するフローチャートである。同じ動作には同じステップ番号が付されている。図１と図３を参照して説明する。まずコントローラ４００の指示により電源がＯＮされる（Ｓ１）。それによりＤＣ／ＤＣコンバータ１２が起動し（Ｓ２）、このＤＣ／ＤＣコンバータ１２内の測温制御手段１３で測定した温度が予め設定された上限温度を超過したか否かをチェックし（Ｓ３）、上限温度を超過した場合は（Ｓ３でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ３で上限温度以下の場合（Ｓ３でＮＯのルート）、次にコントローラ４００に指示によりサーミスタ１６の抵抗値を測定し、電池１１内の温度が予め設定された上限温度を超過したか否かをチェックし（Ｓ４）、上限温度を超過した場合は（Ｓ４でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ４で上限温度以下の場合（Ｓ４でＮＯのルート）、次にカメラ測温手段１４で測定した温度が予め設定された上限温度を超過したか否かをチェックし（Ｓ５）、上限温度を超過した場合は（Ｓ５でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ５で上限温度以下の場合（Ｓ５でＮＯのルート）、それらの温度が規定の温度範囲内か否かをチェックし（Ｓ１０）、規定温度範囲内の場合（Ｓ１０でＹＥＳのルート）、消費電力が増加するようにＴＧ３０１の周波数を高くしたり、各モータの駆動電流を増加する（Ｓ１２）。ステップＳ１０で規定温度範囲外の場合（Ｓ１０でＮＯのルート）、消費電力が減少するようにＴＧ３０１の周波数を低くしたり、各モータの駆動電流を減少して（Ｓ１１）、カメラの操作部９００により電源スイッチが押されているか否かをチェックし（Ｓ６）、押されていなければ（Ｓ６でＮＯのルート）、ステップＳ３に戻って繰り返し、押されていれば（Ｓ６でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。
【００１５】
図６は本発明の第３の実施形態の動作を説明するフローチャートである。同じ動作には同じステップ番号が付されている。図１と図３を参照して説明する。まずコントローラ４００の指示により電源がＯＮされる（Ｓ１）。それによりＤＣ／ＤＣコンバータ１２が起動し（Ｓ２）、このＤＣ／ＤＣコンバータ１２内の測温制御手段１３で測定した温度が予め設定された上限温度を超過したか否かをチェックし（Ｓ３）、上限温度を超過した場合は（Ｓ３でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ３で上限温度以下の場合（Ｓ３でＮＯのルート）、次にコントローラ４００に指示によりサーミスタ１６の抵抗値を測定し、電池１１内の温度が予め設定された上限温度を超過したか否かをチェックし（Ｓ４）、上限温度を超過した場合は（Ｓ４でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ４で上限温度以下の場合（Ｓ４でＮＯのルート）、次にカメラ測温手段１４で測定した温度が予め設定された上限温度を超過したか否かをチェックし（Ｓ５）、上限温度を超過した場合は（Ｓ５でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。ステップＳ５で上限温度以下の場合（Ｓ５でＮＯのルート）、電池判別手段１５によりセットされた電池が温度依存性が大きいか否かをチェックし（Ｓ２０）、温度依存性が大きければ（Ｓ２０でＹＥＳのルート）、それらの温度が規定の温度範囲内か否かをチェックし（Ｓ２２）、規定温度範囲内の場合（Ｓ２２でＹＥＳのルート）、消費電力が増加するようにＴＧ３０１の周波数を高くしたり、各モータの駆動電流を増加する（Ｓ２４）。ステップＳ２２で規定温度範囲外の場合（Ｓ２２でＮＯのルート）、消費電力が減少するようにＴＧ３０１の周波数を低くしたり、各モータの駆動電流を減少して（Ｓ２３）、ステップＳ６に進む。ステップＳ２０で温度依存性が小さければ（Ｓ２０でＮＯのルート）、通常の制御に戻し（Ｓ２１）、カメラの操作部９００により電源スイッチが押されているか否かをチェックし（Ｓ６）、押されていなければ（Ｓ６でＮＯのルート）、ステップＳ３に戻って繰り返し、押されていれば（Ｓ６でＹＥＳのルート）ＤＣ／ＤＣコンバータ１２の入力に接続されたトランジスタＱ３をＯＦＦして電池からの電力を遮断して電源をＯＦＦし（Ｓ７）、カメラの動作を停止する（Ｓ８）。
【００１６】
【発明の効果】
以上記載のごとく請求項１の発明によれば、電池、ＤＣ／ＤＣコンバータ及びカメラ内部の温度が予め設定した上限値を超えた場合、ＤＣ／ＤＣコンバータをＯＦＦするので、それ以上温度が上昇することを防ぎ、部品の破損を事前に防止することができる。
また請求項２では、電池判別手段を更に備えたので、温度上昇による部品の破損を事前に防止すると共に、電池の種類により最適な使用方法を実行することができる。
また請求項３では、各測定手段の温度が上限値以下で、しかも所定の温度範囲にある場合、電力消費が大きくなるように制御されるので、より多くの放電電流を生成することができ、カメラの動作速度を速めることができる。
また請求項４では、各測定手段の温度が上限値以下で、しかも所定の温度範囲以上の場合、電力消費が小さくなるように制御されるので、自動的に温度上昇を抑圧することができる。
また請求項５では、温度依存性が多きい電池を選別して電力消費の制御を行うので、温度依存性が小さい電池に対して無用な制御を行うことを防止できる。
また請求項６では、温度依存性が小さい電池に対しては電力消費の制御を行わずに、通常の動作制御を行うので、温度依存性が小さい電池の特性劣化を抑制することができる。
また請求項７では、電池判別がアルカリ電池とそれ以外で判別するので、判別方法が簡略化され、カメラの構成を簡略化することができる。
【図面の簡単な説明】
【図１】本発明の第１の実施形態に係る温度計測手段の構成図である。
【図２】本発明の第２の実施形態に係る温度計測手段の構成図である。
【図３】本発明のデジタルカメラのシステム図である。
【図４】本発明の第１の実施形態の動作を説明するフローチャートである。
【図５】本発明の第２の実施形態の動作を説明するフローチャートである。
【図６】本発明の第３の実施形態の動作を説明するフローチャートである。
【符号の説明】
１１  電池、１２  ＤＣ／ＤＣコンバータ、１３  測温制御手段、１４  カメラ測温手段、１５  電池判別手段、１６  サーミスタ、１７  電池電源制御部
【図１】
2004266674.tif 000003
【図２】
2004266674.tif 000004
【図３】
2004266674.tif 000005
【図４】
2004266674.tif 000006
【図５】
2004266674.tif 000007
【図６】
2004266674.tif 000008